(57)【要約】      （修正有）【課題】取り付け台を固定するためのねじを省いても十分な保持力を有しながら、防振効果を確保することもできるマイクロホン用防振装置を提供する。【解決手段】マイクロホンユニットを固定することができるベース部４０と、該ベース部を外から囲んでいるフェンス部５０と、前記ベース部と前記フェンス部との間に介在している可撓性材料から形成された第１の防振リングユニット６とを備えていて、前記第１の防振リングユニットで外界から前記フェンス部、前記第１の防振リングユニット及び前記ベース部を経由して前記マイクロホンユニットへ伝わる振動を減衰させることができるマイクロホン用防振装置であって、前記フェンス部には、可撓性を有する変形壁５２が形成されており、前記第１の防振リングユニットは、前記変形壁により締め付けられていることを特徴とする。【選択図】図１
0003164496.tif 000002
【実用新案登録請求の範囲】
【請求項１】
マイクロホンユニットを固定することができるベース部と、
前記ベース部を外から囲んでいるフェンス部と、
前記ベース部と前記フェンス部との間に介在している可撓性材料から形成された第１の防振リングユニットと、
前記ベース部と前記フェンス部との間に介在している可撓性材料から形成された第２の防振リングユニットと、を備えていて、前記第１の防振リングユニットで外界から前記フェンス部、前記第１の防振リングユニット及び前記ベース部を経由して前記マイクロホンユニットへ伝わる振動を減衰させることができるマイクロホン用防振装置であって、
前記フェンス部には、可撓性を有する変形壁が形成されており、
前記第１の防振リングユニットは、前記変形壁により締め付けられていることを特徴とするマイクロホン用防振装置。
【請求項２】
前記変形壁は、複数の変形タブからなっており、
前記複数の変形タブは、いずれも、隣りの他の変形タブと所定距離を置いて、円形に排列しており、
前記第１の防振リングユニットは、前記複数の変形タブの排列からなっている円形内で締め付けられていることを特徴とする請求項１のマイクロホン用防振装置。
【請求項３】
前記第１の防振リングユニットは、
前記複数の変形タブの排列からなっている円形内で締め付けられている第１の外リングと、
前記ベース部に固定されている第１の内リングと、
前記第１の外リングと前記第１の内リングとの間に介在している第１のダンパーリングと、
を備えていることを特徴とする請求項２のマイクロホン用防振装置。
【請求項４】
前記複数の変形タブは、いずれも、該複数の変形タブからなっている円形内に前記第１の外リングが存在していない場合、前記フェンス部の方から前記ベース部の方へ曲がり、存在している場合、前記ベース部の方から前記フェンス部の方へ変形されながらも前記第１の外リングを締付けることができるように構成されていることを特徴とする請求項３のマイクロホン用防振装置。
【請求項５】
前記フェンス部の外表面には、取付け用の雄ねじが形成されていることを特徴とする請求項４のマイクロホン用防振装置。
【請求項６】
前記第２の防振リングユニットは、
環状に形成されている第２の外リングと、
前記第２の外リングの環内に配置されている第２の内リングと、
前記第２の外リングと前記第２の内リングとの間に介在している第２のダンパーリングとからなり、
前記第２の外リングの下端が前記フェンス部の上端面により支持され、前記第２の内リングの上端で前記ベース部を支持することができるように配置構成されていることを特徴とする請求項１のマイクロホン用防振装置。
【請求項７】
前記ベース部は、前記マイクロホンユニットを設置することができる支持台と、前記支持台の下側に配置されていると共に、前記支持台より小径に形成されているネックとを有するように形成され、前記第２の防振リングユニットの前記第２の内リングは、前記ネックを締め付けるように配置されていると共に、その上端で前記支持台の下端を支持するように配置されていることを特徴とする請求項６のマイクロホン用防振装置。
【考案の詳細な説明】
【技術分野】
【０００１】
本考案は、マイクロホン用防振装置に関し、特に、振動を減衰させるためのダンパーリングの取り付け安定性が高いマイクロホン用防振装置に関する。
【背景技術】
【０００２】
従来のマイクロホンは、図３に示されているように、マイクロホンユニット１１へ伝わる振動を減衰させるため、マイクロホンユニット１１を固定するための取り付け台１２と、該取り付け台１２を支持するための枠体１５とを設置する上、取り付け台１２と枠体１５との間に、上ダンパーリング１３と下ダンパーリング１４を嵌め込んで固定している。
【０００３】
前記上ダンパーリング１３及び下ダンパーリング１４は、取り付け台１２と枠体１５との間に介在しているので、外界から枠体１５及び上、下ダンパーリング１３、１４を経由して取り付け台１２そしてマイクロホンユニット１１に伝わる振動をある程度は減衰させることができる。このような構造の従来のマイクロホンは、取り付け台１２と枠体１５との間に嵌め込まれる、上、下ダンパーリング１３、１４の嵌め合わせが均一または適切でないと、マイクロホンユニット１１及び取り付け台１２を保持する、上、下ダンパーリング１３、１４の付勢弾力による保持力が不十分になる恐れがあるが、製造時に生じる寸法の僅かな誤差は不可避であるため、図示のように、更にねじ１６を枠体１５にねじ込むことで、取り付け台１２に枠体１５を押し当てて取り付け台１２やマイクロホンユニット１１に対する適切な保持力を確保している。
【０００４】
しかし、このような措置では、上、下ダンパーリング１３、１４により減衰されるはずの振動の一部がネジ１６を経由して減衰されずに取り付け台１２からマイクロホンユニット１１へと直接伝わり、マイクロホン、特にその防振装置の減衰防振効果を下げてしまうことが問題になる。
【０００５】
また、台湾新型専利公告第３００６９０号明細書と、台湾発明専利第Ｉ２３３７５６号明細書では、取り付け台と枠体との間に、ダンパーリングを嵌めこませる構成が開示されているが、上記説明のように、ダンパーリングの付勢弾力による保持力が不十分になる恐れがある。
【考案の概要】
【考案が解決しようとする課題】
【０００６】
従って、本考案は、その外界からの振動を減衰させるためのダンパーリングの取付方法を改善することにより、ダンパーリングの取り付け台と枠体との間の嵌め合わせを適切に保持することによって、従来の取り付け台を固定するためのねじがなくても十分な保持力を保つ上、防振効果を確保することもできるマイクロホン用防振装置の提供を目的とする。
【課題を解決するための手段】
【０００７】
上記目的を達成すべく、本考案は、マイクロホンユニットを固定することができるベース部と、前記ベース部を外から囲んでいるフェンス部と、前記ベース部と前記フェンス部との間に介在している可撓性材料から形成された第１の防振リングユニットと、前記ベース部と前記フェンス部との間に介在している可撓性材料から形成された第２の防振リングユニットと、を備えていて、前記第１の防振リングユニットで外界から前記フェンス部、前記第１の防振リングユニット及び前記ベース部を経由して前記マイクロホンユニットへ伝わる振動を減衰させることができるマイクロホン用防振装置であって、前記フェンス部には、可撓性を有する変形壁が形成されており、前記第１の防振リングユニットは、前記変形壁により締め付けられていることを特徴とするマイクロホン用防振装置を提供する。
【０００８】
上記マイクロホン用防振装置において、前記変形壁は、複数の変形タブからなっており、前記複数の変形タブは、いずれも、隣りの他の変形タブと所定距離を置いて、円形に排列しており、前記第１の防振リングユニットは、前記複数の変形タブの排列からなっている円形内で締め付けられていることが好ましい。
【０００９】
上記マイクロホン用防振装置において、前記第１の防振リングユニットは、前記複数の変形タブの排列からなっている円形内で締め付けられている第１の外リングと、前記ベース部に固定されている第１の内リングと、前記第１の外リングと前記第１の内リングとの間に介在している第１のダンパーリングと、を備えていることが好ましい。
【００１０】
上記マイクロホン用防振装置において、前記複数の変形タブは、いずれも、該複数の変形タブからなっている円形内に前記第１の外リングが存在していない場合、前記フェンス部の方から前記ベース部の方へ曲がり、存在している場合、前記ベース部の方から前記フェンス部の方へ変形されながらも前記第１の外リングを締付けることができるように構成されていることが好ましい。
【００１１】
上記マイクロホン用防振装置において、前記フェンス部の外表面には、取付け用の雄ねじが形成されていることが好ましい。
【００１２】
更に、上記マイクロホン用防振装置において、前記第２の防振リングユニットは、環状に形成されている第２の外リングと、前記第２の外リングの環内に配置されている第２の内リングと、前記第２の外リングと前記第２の内リングとの間に介在している第２のダンパーリングとからなり、前記第２の外リングの下端が前記フェンス部の上端面により支持され、前記第２の内リングの上端で前記ベース部を支持することができるように配置構成されていることが好ましい。
【００１３】
また、上記マイクロホン用防振装置において、前記ベース部は、前記マイクロホンユニットを設置することができる支持台と、前記支持台の下側に配置されていると共に、前記支持台より小径に形成されているネックとを有するように形成され、前記第２の防振リングユニットの前記第２の内リングは、前記ネックを締め付けるように配置されていると共に、その上端で前記支持台の下端を支持するように配置されていることが好ましい。
【考案の効果】
【００１４】
上記構成を有する本考案のマイクロホン用防振装置は、第１の防振リングユニットの外周面を囲んでいるフェンス部に、可撓性を有する変形壁が形成されており、この可撓性を有する変形壁の付勢弾力を利用して第１の防振リングユニットをベース部に押し付ける構成になっており、第１の防振リングユニットの付勢弾力だけではなく、変形壁の付勢弾力をも利用しているので、第１の防振リングユニットのベース部（従来の取り付け台１２に相当）とフェンス部（従来の枠体１５に相当）との間への嵌め合わせの有用範囲が広く、即ち、製造時に回避し難い誤差の許容範囲が従来より広く、固定用のねじを使用しなくても確実にベース部とマイクロホンユニットとを保持することが可能である。
【００１５】
また、本考案のマイクロホン用防振装置は、第２の防振リングユニットが有する第２の外リングの下端をフェンス部の上端面により支持させ、第２の内リングの上端でベース部を支持するように構成した場合、変形壁及び第１の防振リングユニットの締め付け力と、第２の防振リングユニットの構成とでベース部を支持することができるので、ベース部を固定する効果が一層向上される。
【図面の簡単な説明】
【００１６】
【図１】本考案のマイクロホン用防振装置の分解図である。
【図２】本考案のマイクロホン用防振装置の組み立てた状態の断面図である。
【図３】従来のマイクロホン用防振装置の一例が示される断面図である。
【考案を実施するための形態】
【００１７】
以下は図面を参照しながら、本考案の好ましい実施形態について説明する。
【００１８】
図１では本考案のマイクロホン用防振装置の分解図であり、図２はその組み立てた状態の断面図である。図示されるように、本考案のマイクロホン用防振装置は、マイクロホンユニット８を固定することができるベース部４０と、ベース部４０を外から囲んでいるフェンス部５０と、ベース部４０とフェンス部５０との間に介在している可撓性材料から形成された第１及び第２の防振リングユニット６、７とを備えており、これら第１及び第２の防振リングユニット６、７を利用して、外界からフェンス部５０、第１及び第２の防振リングユニット６、７そしてベース部４０を経由してマイクロホンユニット８へ伝わる振動を減衰させるものである。
【００１９】
ベース部４０は、第１の防振リングユニット６及び第２の防振リングユニット７がそれぞれ取り付けられる第１のネック４１及び第２のネック４２と、マイクロホンユニット８を固定することができる支持台４３とを有するように形成されている。支持台４３は第２のネック４２のすぐ上方に形成され、第１のネック４１は第２のネック４２の下側に形成されている。
【００２０】
第１の防振リングユニット６は、ベース部４０の第１のネック４１を締め付けるようにベース部４０に固定される第１の内リング６１と、第１の内リング６１を囲むように第１の内リング６１の外側に配置されている第１の外リング６２と、第１の外リング６２と第１の内リング６１との間に介在している第１のダンパーリング６３とを有するように形成されている。
【００２１】
第２の防振リングユニット７は、ベース部４０の第２のネック４２を締め付けるようにベース部４０に固定される第２の内リング７１と、第２の内リング７１を囲むように第２の内リング７１の外側に配置されている第２の外リング７２と、第２の外リング７２と第２の内リング７１との間に介在している第２のダンパーリング７３とを有し、第１の防振リングユニット６と類似する構成になっている。
【００２２】
フェンス５０は図示されるように、下から順に、変形壁５２と、雄ねじ５４とを有するように中空の略管状体に形成され、更にその上端面に上方に向かって開口した環状溝５３とが設けられている。
【００２３】
第２の防振リングユニット７は環状溝５３に対応する直径を有するように形成され、図２に示されるように、上から環状溝５３に嵌めこんでフェンス５０により支持されるように固定されている。
【００２４】
また、第２の防振リングユニット７の第２の内リング７１は、第２のネック４２を締め付けると共に、支持台４３の下端４３１を下から支持することができるように配置されている。
【００２５】
変形壁５２は可撓性を有するように形成されており、例えばこの実施形態において、変形壁５２は複数の変形タブ５２１からなっており、該複数の変形タブ５２１はいずれも、隣りの他の変形タブ５２１との間に所定距離のスリット５１を置いて、円形に排列されている。これら複数の変形タブ５２１は、いずれも、前記円形内に第１の外リング６２が存在していない場合、即ち第１の防振リングユニット６が未だ取り付けられていない状態では、フェンス部５０の方（外側）からベース部４０の方（内側）へ曲がっている自然状態になっており、そして、第１の外リング６２が存在している場合、即ち第１の防振リングユニット６を取り付けた状態では、第１の外リング６２によって外側に押し出されるように変形しながらも、この変形により生じた付勢弾力でフェンス部５０の方から第１の外リング６２をベース部４０の方へ締付けるように構成されている。つまり、第１の防振リングユニット６は、第１の外リング６２の直径が該複数の変形タブ５２１が排列されて形成されている円形の直径より大きく形成されることによって、各変形タブ５２１に生じた内向きの付勢力により、締め付けられている。
【００２６】
雄ねじ５４は、例えばカバー２を設置するために形成されており、図２に示されるように、取っ手２とねじ合うことによってフェンス５０を取っ手２内に設置することができる。
【産業上の利用可能性】
【００２７】
上記構成を有する本考案のマイクロホン用防振装置は、第１の防振リングユニットの外周面を囲んでいるフェンス部に、可撓性を有する変形壁が形成されており、この可撓性を有する変形壁の付勢弾力を利用して第１の防振リングユニットをベース部に押し付ける構成になっており、第１の防振リングユニットの付勢弾力だけではなく、変形壁の付勢弾力をも利用しているので、第１の防振リングユニットのベース部（従来の取り付け台１２に相当）とフェンス部（従来の枠体１５に相当）との間への嵌め合わせの有用範囲が広く、即ち、製造時に回避し難い誤差の許容範囲が従来より広く、固定用のねじを使用しなくても確実にベース部とマイクロホンユニットとを保持することが可能である。
【００２８】
また、本考案のマイクロホン用防振装置は、第２の防振リングユニットが有する第２の外リングの下端をフェンス部の上端面により支持させ、第２の内リングの上端でベース部を支持するように構成した場合、変形壁及び第１の防振リングユニットの締め付け力と、第２の防振リングユニットの構成とでベース部を支持することができるので、ベース部を固定する効果が一層向上される。
【符号の説明】
【００２９】
４０  ベース部
４１  第１のネック
４２  第２のネック
４３  支持台
４３１  下端
５０  フェンス部
５１  スリット
５２  変形壁
５２１  変形タブ
５３  環状溝
６  第１の防振リングユニット
６１  第１の内リング
６２  第１の外リング
６３  第１のダンパーリング
７  第２の防振リングユニット
７１  第２の内リング
７２  第２の外リング
７３  第２のダンパーリング
８  マイクロホンユニット
【図１】
0003164496.tif 000003
【図２】
0003164496.tif 000004
【図３】
0003164496.tif 000005